【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
記録材を収容する収容部を装着可能であり、前記記録材を用いて画像形成を行う画像形成手段を有する画像形成装置であって、
前記収容部における記録材の残量を取得する取得手段と、
前記画像形成で用いたデータに基づいて、前記収容部における記録材の残量を予測する予測手段と、
前記予測手段により予測された記録材の残量を、表示すべき記録材の残量として設定する設定手段と、
前記取得手段により取得される記録材の残量が変化した際に、前記設定手段により設定された記録材の残量を、前記取得手段により取得された記録材の残量で更新する制御手段とを有し、
前記制御手段は、前記取得手段により取得された記録材の残量と前記設定手段により設定された記録材の残量との差分が所定値より小さい場合には、前記設定手段により設定された記録材の残量を、前記取得手段により取得された記録材の残量で更新し、前記取得手段により取得された記録材の残量と前記設定手段により設定された記録材の残量との差分が所定値より大きい場合には、前記設定手段により設定された記録材の残量を、前記取得手段により取得された記録材の残量で更新しないことを特徴とする画像形成装置。
【請求項２】
前記制御手段は、前記取得手段により取得された記録材の残量が前記設定手段により設定された記録材の残量より大きい場合には、前記設定手段により設定された記録材の残量を、前記取得手段により取得された記録材の残量で更新しないことを特徴とする請求項１に記載の画像形成装置。
【請求項３】
前記制御手段は、前記取得手段により取得された記録材の残量がゼロである場合、前記設定手段により設定された記録材の残量を、前記取得手段により取得された記録材の残量で更新することを特徴とする請求項１又は２に記載の画像形成装置。
【請求項４】
新たな収容部が装着された際に、当該新たな収容部から取得した情報に基づいて、前記設定手段により設定された記録材の残量を更新することを特徴とする請求項１乃至３の何れか１項に記載の画像形成装置。
【請求項５】
前記予測手段は、ラスタデータにおけるドットカウント値に基づいて、前記収容部における記録材の残量を予測することを特徴とする請求項１乃至４の何れか１項に記載の画像形成装置。
【請求項６】
前記設定手段により設定された記録材の残量を表示する表示手段を更に有することを特徴とする請求項１乃至５の何れか１項に記載の画像形成装置。
【請求項７】
前記設定手段により設定された記録材の残量を外部装置に送信する送信手段を更に有することを特徴とする請求項１乃至６の何れか１項に記載の画像形成装置。
【請求項８】
前記記録材は、トナーであることを特徴とする請求項１乃至７の何れか１項に記載の画像形成装置。
【請求項９】
前記収容部は、プロセスカートリッジであることを特徴とする請求項１乃至８の何れか１項に記載の画像形成装置。
【請求項１０】
データ処理装置であって、
収容部における記録材の残量を取得する取得手段と、
前記データ処理装置における処理の実行のために用いたデータに基づいて、前記収容部における記録材の残量を予測する予測手段と、
前記予測手段により予測された記録材の残量を、表示すべき記録材の残量として設定する設定手段と、
前記取得手段により取得される記録材の残量が変化した際に、前記設定手段により設定された記録材の残量を、前記取得手段により取得された記録材の残量で更新する制御手段とを有し、
前記制御手段は、前記取得手段により取得された記録材の残量と前記設定手段により設定された記録材の残量との差分が所定値より小さい場合には、前記設定手段により設定された記録材の残量を、前記取得手段により取得された記録材の残量で更新し、前記取得手段により取得された記録材の残量と前記設定手段により設定された記録材の残量との差分が所定値より大きい場合には、前記設定手段により設定された記録材の残量を、前記取得手段により取得された記録材の残量で更新しないことを特徴とするデータ処理装置。
【請求項１１】
データ処理装置の制御方法であって、
収容部における記録材の残量を取得する取得工程と、
前記データ処理装置における処理の実行のために用いたデータに基づいて、前記収容部における記録材の残量を予測する予測工程と、
前記予測工程により予測された記録材の残量を、表示すべき記録材の残量として設定する設定工程と、
前記取得工程により取得される記録材の残量が変化した際に、前記設定工程により設定された記録材の残量を、前記取得工程により取得された記録材の残量で更新する制御工程とを有する前記データ処理装置の制御方法であって、
前記制御工程は、前記取得工程により取得された記録材の残量と前記設定工程により設定された記録材の残量との差分が所定値より小さい場合には、前記設定工程により設定された記録材の残量を、前記取得工程により取得された記録材の残量で更新し、前記取得工程により取得された記録材の残量と前記設定工程により設定された記録材の残量との差分が所定値より大きい場合には、前記設定工程により設定された記録材の残量を、前記取得工程により取得された記録材の残量で更新しないことを特徴とする制御方法。
【請求項１２】
情報処理装置に、
前記収容部における記録材の残量を取得する取得工程と、
前記情報処理装置が処理の実行のために用いたデータに基づいて、前記収容部における記録材の残量を予測する予測工程と、
前記予測工程により予測された記録材の残量を、表示すべき記録材の残量として設定する設定工程と、
前記取得工程により取得される記録材の残量が変化した際に、前記設定工程により設定された記録材の残量を、前記取得工程により取得された記録材の残量で更新する制御工程とを実行させるためのプログラムであって、
前記制御工程は、前記取得工程により取得された記録材の残量と前記設定工程により設定された記録材の残量との差分が所定値より小さい場合には、前記設定工程により設定された記録材の残量を、前記取得工程により取得された記録材の残量で更新し、前記取得工程により取得された記録材の残量と前記設定工程により設定された記録材の残量との差分が所定値より大きい場合には、前記設定工程により設定された記録材の残量を、前記取得工程により取得された記録材の残量で更新しないことを特徴とするプログラム。
【手続補正２】
【補正対象書類名】明細書
【補正対象項目名】０００７
【補正方法】変更
【補正の内容】
【０００７】
本発明は、記録材を収容する収容部を装着可能であり、前記記録材を用いて画像形成を行う画像形成手段を有する画像形成装置であって、前記収容部における記録材の残量を取得する取得手段と、前記画像形成で用いたデータに基づいて、前記収容部における記録材の残量を予測する予測手段と、前記予測手段により予測された記録材の残量を、表示すべき記録材の残量として設定する設定手段と、前記取得手段により取得される記録材の残量が変化した際に、前記設定手段により設定された記録材の残量を、前記取得手段により取得された記録材の残量で更新する制御手段とを有し、前記制御手段は、前記取得手段により取得された記録材の残量と前記設定手段により設定された記録材の残量との差分が所定値より小さい場合には、前記設定手段により設定された記録材の残量を、前記取得手段により取得された記録材の残量で更新し、前記取得手段により取得された記録材の残量と前記設定手段により設定された記録材の残量との差分が所定値より大きい場合には、前記設定手段により設定された記録材の残量を、前記取得手段により取得された記録材の残量で更新しないことを特徴とする。